(57)【要約】【課題】施設構内のそれぞれの部屋を利用する利用者同士を連携させて避難時の行動を指示することができる情報提供装置を提供する。【解決手段】誘導管理サーバ１は、客室それぞれに設置された表示装置４にて再生する情報を提供するものである。誘導管理サーバ１は、避難時に考慮すべき宿泊客の情報である利用者情報データベース２１と、避難時に考慮すべき上記施設構内の物理的情報を示す誘導規準情報データベース２２とを記憶する誘導管理記憶装置１１と、利用者情報データベース２１と誘導基準情報データベース２２とから、他の宿泊客との避難時における連携関係を決定し、各宿泊客の避難時の挙動を指示する個別誘導情報データベース２３を作成する個別誘導情報生成部３２とを備える。【選択図】図１
2010002996.tif 000002
【特許請求の範囲】
【請求項１】
施設構内の複数の部屋それぞれに設置された画像再生装置にて再生するための情報を提供する情報提供装置であって、
上記部屋それぞれを利用する利用者が予め決められており、
避難時に考慮すべき上記利用者の情報である利用者情報と、避難時に考慮すべき上記施設構内の物理的情報を示す避難情報とを記憶する記憶装置と、
上記記憶装置に記憶された上記利用者情報と上記避難情報とから、上記利用者と、該利用者とは異なる部屋を利用している他の利用者との、避難時における連携関係を決定し、決定された上記連携関係に基づき、各利用者の避難時の挙動を指示する情報である挙動指示情報を作成する挙動指示情報作成手段と、を備えることを特徴とする情報提供装置。
【請求項２】
上記利用者それぞれに関する情報を受付け、上記利用者情報を作成する作成手段を備えることを特徴とする請求項１に記載の情報提供装置。
【請求項３】
災害の発生を検知する災害検知装置と通信可能に接続されており、
災害の発生を示す検知情報を上記災害検知装置から受信する受信部と、
上記受信部が、上記災害検知装置から上記検知情報を受信した場合、上記挙動指示情報を上記画像再生装置に送信する送信手段と、を備えることを特徴とする請求項１または２に記載の情報提供装置。
【請求項４】
上記受信部は、上記災害検知装置から上記検知情報とともに、発生した災害の種類および災害の発生位置を示す災害情報を受付けており、
上記災害検知装置が災害を検知した場合、上記挙動指示情報作成手段は、上記記憶装置に記憶された上記利用者情報と上記避難情報とに加えて、上記災害情報を参照して上記挙動指示情報を作成することを特徴とする請求項３に記載の情報提供装置。
【請求項５】
上記挙動指示情報は、各利用者の避難順路を指示する情報である避難経路情報と、各利用者を避難位置まで誘導するための情報である誘導情報とを含むことを特徴とする請求項１から４のいずれか1項に記載の情報提供装置。
【請求項６】
上記挙動指示情報作成手段は、上記利用者が理解できる表現形式により挙動指示情報を作成することを特徴とする請求項１から５のいずれか１項に記載の情報提供装置。
【請求項７】
上記挙動指示情報作成手段は、上記利用者が理解できる表現形式として、上記挙動指示情報を図形で示した画像データにより作成することを特徴とする請求項６に記載の情報提供装置。
【請求項８】
上記挙動指示情報作成手段は、上記利用者が理解できる表現形式として、上記挙動指示情報を上記利用者が使用できる言語で記載したテキストデータにより作成することを特徴とする請求項６に記載の情報提供装置。
【請求項９】
上記挙動指示情報作成手段は、上記利用者が理解できる表現形式として、上記挙動指示情報を音声データにより作成することを特徴とする請求項６に記載の情報提供装置。
【請求項１０】
施設構内の複数の部屋それぞれに設置された画像再生装置にて再生するための情報を提供するとともに、上記部屋を利用する利用者の避難時に考慮すべき情報である利用者情報と、上記施設構内の避難時に考慮すべき物理的情報を示す避難情報とを記憶する記憶装置を備えた情報提供装置の制御方法であって、
上記部屋それぞれを利用する利用者が予め決められており、
上記利用者情報と上記避難情報とに基づき、上記利用者と、該利用者とは異なる部屋を利用する他の利用者との連携関係を決定し、各利用者の避難時の挙動を指示する情報である挙動指示情報を作成する挙動指示情報作成ステップと、
上記利用者情報に基づき、上記挙動指示情報作成ステップにおいて作成した上記挙動指示情報の表現形式を決定する表現形式決定ステップと、を含むことを特徴とする情報提供装置の制御方法。
【請求項１１】
コンピュータを請求項１から９のいずれか１項に記載の情報提供装置の各手段として機能させるための情報提供装置の制御プログラム。
【請求項１２】
請求項１１に記載の情報提供装置の制御プログラムを記録したコンピュータ読み取り可能な記録媒体。
【発明の詳細な説明】
【技術分野】
【０００１】
本発明は、施設構内の複数の部屋それぞれに設置された画像再生装置にて再生するための情報を提供する情報提供装置、情報提供装置の制御方法、情報提供装置の制御プログラム、および情報提供装置の制御プログラムを記録した記録媒体に関するものである。
【背景技術】
【０００２】
従来から、ホテルや旅館等の宿泊施設では、災害にそなえ、避難路に関する情報を、廊下、各部屋、あるいはフロントに設置した案内板に掲載したり、チェックイン時に口頭で説明したりするなどして、宿泊客に周知している。また、宿泊施設内の通路等には所定位置に誘導灯が設けられている。
【０００３】
ところで近年では、上述した避難誘導の案内に、各部屋に設置されているテレビの映像を利用する技術も開示されている。例えば、特許文献１では、テレビ放送受信装置およびモニタによって、これら装置が設置されている位置に対応した避難経路画像を表示させるテレビ放送通信システムが開示されている。
【０００４】
また、テレビの映像を利用して宿泊客に情報を提供する技術において、宿泊客の使用言語に応じた表示を行う、宿泊客に対する情報提供システムも開発されている（例えば、特許文献２および特許文献３参照）。
【特許文献１】特開２００６−４９９４３号公報（２００６年０２月１６日公開）
【特許文献２】特開２００２−２４４１２号公報（２００２年０１月２５日公開）
【特許文献３】特開２００２−３２４９１号公報（２００２年０１月３１日公開）
【発明の開示】
【発明が解決しようとする課題】
【０００５】
しかしながら、上記従来の構成では、施設構内のそれぞれの部屋を利用する利用者同士を連携させて避難時の行動を指示することができないという問題を生じる。
【０００６】
具体的には、特許文献１は、各部屋ごとに応じた避難経路を提示するものであり、特許文献２，３は、各部屋の利用者の使用言語に応じた表示を行うものである。このため、これら従来技術は、他の部屋を利用する利用者と、どのように連携して利用者が避難すべきか提示するものではない。
【０００７】
本発明は、上記の問題点に鑑みてなされたものであり、その目的は、施設構内のそれぞれの部屋を利用する利用者同士を連携させて避難時の行動を指示することができる情報提供装置、情報提供装置の制御方法、情報提供装置の制御プログラム、および情報提供装置の制御プログラムを記録した記録媒体を実現することにある。
【課題を解決するための手段】
【０００８】
本発明に係る情報提供装置は、上記した課題を解決するために、施設構内の複数の部屋それぞれに設置された画像再生装置にて再生するための情報を提供する情報提供装置であって、上記部屋それぞれを利用する利用者が予め決められており、避難時に考慮すべき上記利用者の情報である利用者情報と、避難時に考慮すべき上記施設構内の物理的情報を示す避難情報とを記憶する記憶装置と、上記記憶装置に記憶された上記利用者情報と上記避難情報とから、上記利用者と、該利用者とは異なる部屋を利用している他の利用者との、避難時における連携関係を決定し、決定された上記連携関係に基づき、各利用者の避難時の挙動を指示する情報である挙動指示情報を作成する挙動指示情報作成手段と、を備えることを特徴とする。
【０００９】
ところで、上記利用者情報とは、例えば、各部屋の利用者の氏名，年齢，性別，使用言語，他の部屋の利用者との関係，あるいは避難時の補助の要否等、災害発生時に考慮すべき利用者に関連する情報が挙げられる。
【００１０】
また、上記避難情報とは、例えば、避難経路の配置，避難経路上における障害物の位置，非常口の位置，消火器の位置，および各部屋の配置など、避難時における利用者の避難経路を決定する際に考慮すべき施設構内の物理的情報が挙げられる。
【００１１】
また、上記挙動指示情報とは、利用者の取るべき挙動（立ち振る舞い）を指示する情報であり、例えば、どの避難経路を選択して避難すべきか避難順路を示す情報や、直ちに避難すべきである、あるいはその場で待機すべきであるなどを指示する情報を含む。
【００１２】
上記構成によると、挙動指示情報作成手段を備えている為、上記利用者と、異なる部屋を利用している他の利用者との、避難時における連携関係を決定し、決定された上記連携関係に基づき、各利用者の避難時の挙動を指示する情報である挙動指示情報を作成することができる。
【００１３】
このため、各人がそれぞればらばらに避難するのではなく、避難時に第３者の補助が必要な人を支援したり、他の人と一緒に避難したりするなど、施設構内のそれぞれの部屋を利用する利用者同士を連携させて避難時の行動を指示することができるという効果を奏する。
【００１４】
また、本発明に係る情報提供装置は、上記した構成において、上記利用者それぞれに関する情報を受付け、上記利用者情報を作成する作成手段を備えるように構成されていてもよい。
【００１５】
上記構成によると、作成手段を備えているため、施設の各部屋を利用する利用者それぞれについての利用者情報を作成することができる。
【００１６】
したがって、記憶装置に記憶する利用者情報を、常に各部屋を利用する利用者の変更を反映させた最新の情報とすることができる。
【００１７】
また、本発明に係る情報提供装置は、上記した構成において、災害の発生を検知する災害検知装置と通信可能に接続されており、災害の発生を示す検知情報を上記災害検知装置から受信する受信部と、上記受信部が、上記災害検知装置から上記検知情報を受信した場合、上記挙動指示情報を上記画像再生装置に送信する送信手段と、を備えるように構成されていてもよい。
【００１８】
上記構成によると、受信部と送信手段とを備えるため、災害の発生が検知されると、挙動指示情報を各部屋の画像再生装置それぞれに提供することができる。このため、災害発生時に直ちに、各部屋の利用者は、発生した災害に対してどのような挙動をとればよいか画像再生装置を通じて把握することができる。
【００１９】
また、本発明に係る情報提供装置は、上記した構成において、上記受信部は、上記災害検知装置から上記検知情報とともに、発生した災害の種類および災害の発生位置を示す災害情報を受付けており、上記災害検知装置が災害を検知した場合、上記挙動指示情報作成手段は、上記記憶装置に記憶された上記利用者情報と上記避難情報とに加えて、上記災害情報を参照して上記挙動指示情報を作成するように構成されていてもよい。
【００２０】
上記災害検知装置が災害を検知した場合、上記挙動指示情報作成手段は、上記記憶装置に記憶された上記利用者情報と上記避難情報とに加えて、上記災害情報を参照して上記挙動指示情報を作成するため、災害の発生状況に応じた適切な挙動指示情報を作成することができる。
【００２１】
また、本発明に係る情報提供装置は、上記した構成において、上記挙動指示情報は、各利用者の避難順路を指示する情報である避難経路情報と、各利用者を避難位置まで誘導するための情報である誘導情報とを含むように構成されていてもよい。
【００２２】
上記構成によると、上記挙動指示情報には、上記避難経路情報と上記誘導情報とを含むため、利用者は、避難すべき道順など物理的な情報と、どのように避難位置まで避難すべきか、各利用者を誘導する情報とを得ることができる。このため、利用者は、スムースに部屋から避難することができる。
【００２３】
また、本発明に係る情報提供装置は、上記した構成において、上記挙動指示情報作成手段は、上記利用者が理解できる表現形式により挙動指示情報を作成するように構成されていてもよい。
【００２４】
上記構成によると、挙動指示情報は、利用者が理解できる表現形式で作成されているため、避難時に利用者が挙動指示情報の内容を理解できず、適切に避難できないといった問題が発生することを防ぐことができる。
【００２５】
また、本発明に係る情報提供装置は、上記した構成において、上記挙動指示情報作成手段は、上記利用者が理解できる表現形式として、上記挙動指示情報を図形で示した画像データにより作成するように構成されていてもよい。
【００２６】
上記構成によると、挙動指示情報作成手段は挙動指示情報を図形で示した画像データにより作成することができるため、図形といった視覚的に理解できる形式で挙動指示情報を提供することができる。このため、文字が読めない利用者であっても、この図形等の視覚的な情報により挙動指示情報の内容を理解することができる。
【００２７】
また、本発明に係る情報提供装置は、上記した構成において、上記利用者が理解できる表現形式として、上記挙動指示情報を上記利用者が使用できる言語で記載したテキストデータにより作成するように構成されていてもよい。
【００２８】
上記構成によると、挙動指示情報作成手段は挙動指示情報を上記利用者が使用できる言語で記載したテキストデータにより作成することができるため、各利用者が読むことができる言語形態で挙動指示情報を提供することができる。
【００２９】
また、本発明に係る情報提供装置は、上記した構成において、上記挙動指示情報作成手段は、上記利用者が理解できる表現形式として、上記挙動指示情報を音声データにより作成するように構成されていてもよい。
【００３０】
上記構成によると、挙動指示情報作成手段は、上記挙動指示情報を音声データにより作成することができるため、利用者が、画像再生装置における表示を見ることができない場合であっても挙動指示情報を把握することができる。なお、画像再生装置における表示を見ることができない場合とは、例えば、画像再生装置の表示画面が見えない位置に利用者がいる場合、利用者が視覚障害を有しており見ることができない場合等が挙げられる。
【００３１】
本発明に係る情報提供装置の制御方法は、上記した課題を解決するために、施設構内の複数の部屋それぞれに設置された画像再生装置にて再生するための情報を提供するとともに、上記部屋を利用する利用者の避難時に考慮すべき情報である利用者情報と、上記施設構内の避難時に考慮すべき物理的情報を示す避難情報とを記憶する記憶装置を備えた情報提供装置の制御方法であって、上記部屋それぞれを利用する利用者が予め決められており、上記利用者情報と上記避難情報とに基づき、上記利用者と、該利用者とは異なる部屋を利用する他の利用者との連携関係を決定し、各利用者の避難時の挙動を指示する情報である挙動指示情報を作成する挙動指示情報作成ステップと、上記利用者情報に基づき、上記挙動指示情報作成ステップにおいて作成した上記挙動指示情報の表現形式を決定する表現形式決定ステップと、を含むことを特徴とする。
【００３２】
ところで、上記利用者情報とは、例えば、各部屋の利用者の氏名，年齢，性別，使用言語，他の部屋の利用者との関係，あるいは避難時の補助の要否等、災害発生時に考慮すべき利用者に関連する情報が挙げられる。
【００３３】
また、上記避難情報とは、例えば、避難経路の配置，避難経路上における障害物の位置，非常口の位置，消火器の位置，および各部屋の配置など、避難時における利用者の避難経路を決定する際に考慮すべき施設構内の物理的情報が挙げられる。
【００３４】
また、上記挙動指示情報とは、利用者の取るべき挙動（立ち振る舞い）を指示する情報であり、例えば、どの避難経路を選択して避難すべきか避難順路を示す情報や、直ちに避難すべきである、あるいはその場で待機すべきであるなど、避難時の誘導を指示する情報を含む。
【００３５】
上記した方法において、挙動指示情報作成ステップを含むため、上記利用者と、異なる部屋を利用している他の利用者との、避難時における連携関係を決定し、決定された上記連携関係に基づき、各利用者の避難時の挙動を指示する情報である挙動指示情報を作成することができる。
【００３６】
また、表現形式決定ステップを含むため、各利用者が理解できる表現形式によって、挙動指示情報作成ステップにおいて作成した挙動指示情報を提供することができる。
【００３７】
したがって、施設構内のそれぞれの部屋を利用する利用者同士を連携させて避難時の行動を指示することができるという効果を奏する。
【００３８】
なお、上記情報提供装置は、コンピュータによって実現してもよく、この場合には、コンピュータを上記各手段として動作させることにより上記情報提供装置をコンピュータにて実現させる情報提供装置の制御プログラム、およびそれを記録したコンピュータ読み取り可能な記録媒体も、本発明の範疇に入る。
【発明の効果】
【００３９】
本発明に係る情報提供装置は、以上のように、施設構内の複数の部屋それぞれに設置された画像再生装置にて再生するための情報を提供する情報提供装置であって、上記部屋それぞれを利用する利用者が予め決められており、避難時に考慮すべき上記利用者の情報である利用者情報と、避難時に考慮すべき上記施設構内の物理的情報を示す避難情報とを記憶する記憶装置と、上記記憶装置に記憶された上記利用者情報と上記避難情報とから、上記利用者と、該利用者とは異なる部屋を利用している他の利用者との、避難時における連携関係を決定し、決定された上記連携関係に基づき、各利用者の避難時の挙動を指示する情報である挙動指示情報を作成する挙動指示情報作成手段と、を備えることを特徴とする。
【００４０】
したがって、施設構内のそれぞれの部屋を利用する利用者同士を連携させて避難時の行動を指示することができるという効果を奏する。
【００４１】
本発明に係る情報提供装置の制御方法は、以上のように、施設構内の複数の部屋それぞれに設置された画像再生装置にて再生するための情報を提供するとともに、上記部屋を利用する利用者の避難時に考慮すべき情報である利用者情報と、上記施設構内の避難時に考慮すべき物理的情報を示す避難情報とを記憶する記憶装置を備えた情報提供装置の制御方法であって、上記部屋それぞれを利用する利用者が予め決められており、上記利用者情報と上記避難情報とに基づき、上記利用者と、該利用者とは異なる部屋を利用する他の利用者との連携関係を決定し、各利用者の避難時の挙動を指示する情報である挙動指示情報を作成する挙動指示情報作成ステップと、上記利用者情報に基づき、上記挙動指示情報作成ステップにおいて作成した上記挙動指示情報の表現形式を決定する表現形式決定ステップと、を含むことを特徴とする。
【００４２】
したがって、施設構内のそれぞれの部屋を利用する利用者同士を連携させて避難時の行動を指示することができるという効果を奏する。
【発明を実施するための最良の形態】
【００４３】
本発明の一実施形態について図１ないし図７に基づいて説明すると以下の通りである。すなわち、本実施の形態に係る誘導指示システム１００は、宿泊施設２００の施設構内において災害が発生した場合、各客室（部屋）の宿泊客（利用者）に誘導指示を与えるものである。図２に示すように、誘導指示システム１００は、誘導管理サーバ１，利用者情報入力装置２，災害発生検知装置３，および表示装置４・・・を備えてなる構成である。図２は本発明の実施形態を示すものであり、誘導指示システム１００の要部構成を示すブロック図である。
【００４４】
上記誘導管理サーバ１は、災害発生時に各客室の宿泊客がどのように行動すべきか決定し、各客室の宿泊客に安全な場所へと避難するように誘導指示を行うものである。この誘導管理サーバ１の詳細については後述する。
【００４５】
上記利用者情報入力装置２は、利用者に関する情報の入力を受付けるものであり、例えば、チェックイン処理時に宿泊客情報を登録管理する、いわゆるフロントマシンである。この利用者情報入力装置２に入力された利用者に関する情報は、誘導管理サーバ１に出力される。
【００４６】
災害発生検知装置３は、宿泊施設２００において災害が発生した場合、この災害を検知し、災害発生場所を特定するものである。例えば、宿泊施設２００の各客室、廊下、トイレ、エレベータ、階段、食堂、および厨房等の所定位置に、火災報知器が設置されている。そして、災害発生検知装置３は、この火災報知器から火災発生の情報を受け付け、火災発生を検知しその発生場所を特定することができる。また、災害発生検知装置３は、宿泊施設２００の施設構内に配備された各設備機器に異常が生じた場合、その異常に関する情報を受付けるようにもなっている。
【００４７】
表示装置４は、映像信号および音声信号を受付け、表示部から映像を出力させるとともに、スピーカから音声を出力させることができる、いわゆるテレビジョンである。表示装置４は、各客室に配備され、各客室の宿泊客によって利用できるようになっている。
【００４８】
なお、上記誘導管理サーバ１，利用者情報入力装置２，災害発生検知装置３，および表示装置４・・・それぞれは、ＬＡＮ（Local Area Network)によって接続され、通信できるようになっている。なお、上記誘導管理サーバ１，利用者情報入力装置２，災害発生検知装置３，および表示装置４・・・それぞれの接続は、有線（ワイヤード）によって実現されるものであってもよいし、無線によって実現されるものであってもよい。なお無線ＬＡＮの場合、２．４ＧＨｚ帯または５ＧＨｚ帯を用いるＳＳ無線ＬＡＮを利用できる。
【００４９】
（誘導管理サーバ）
次に、上記誘導管理サーバ１の構成について、上記した図２に加え、図１，図３〜図６を参照して詳細に説明する。
【００５０】
誘導管理サーバ１は、図２に示すように、ハードウェア構成として、誘導管理記憶装置１１、通信制御部１２、および主制御部１３を備えてなる構成である。誘導管理記憶装置１１は、読み書き可能な不揮発性の記録媒体であり、利用者情報データベース２１、誘導基準情報データベース２２、および個別誘導情報データベース２３を記憶するものである。
【００５１】
上記利用者情報データベース（利用者情報）２１は、利用者情報入力装置２から入力された宿泊施設２００の宿泊客に関する情報に基づき、後述する利用者情報生成部３１によって作成されたデータベースである。より具体的には、図３に示すように、客室番号ごとに、その客室の宿泊客に関する情報が記録される。図３は、本発明の実施形態を示すものであり、利用者情報データベース２１の一例を示す図である。
【００５２】
すなわち、上記利用者情報データベース２１に含まれる情報としては、図３に示すように、誘導を指示する際に利用する言語（表示言語），他の客室との関係（同じ旅行グループに属する等）を示す情報（グループ情報），年齢，氏名，避難支援の要否を示す情報など、誘導を指示する際に考慮すべき上記宿泊客に関する情報が挙げられる。
【００５３】
なお、利用者情報データベース２１として含まれる情報はこれらに限定されるものではなく、災害時の避難誘導に利用できる、宿泊客の情報であればよい。例えば、上述した情報以外に、さらに宿泊客の職業，病歴，経験したスポーツに関する情報，性別，体重，および身長などが含まれていてもよい。
【００５４】
誘導基準情報データベース（避難情報）２２は、予め、誘導管理記憶装置１１に記憶されている情報であり、宿泊施設構内の避難経路に関する物理的情報を示すデータベースである。誘導基準情報データベース２２は、図４に示すように、宿泊施設２００の各階における客室の配置，避難経路の配置，非常階段または非常口の位置，消火器の位置，および避難経路上における障害物（段差等）の位置等が記録されたデータベースである。より具体的には、図４に示すように、各フロアーに座標を割りあて、この座標によって、図５に示すように客室の位置，非常階段の位置，消火器の位置，および避難経路上における障害物（段差等）の位置等を特定し記録している。なお、図４は、本実施の形態に係る宿泊施設２００の２階部分における施設概要と、段差、消火器の配置位置の一例を示す平面図である。図５は、本実施の形態に係る誘導基準情報データベース２２として記録されるデータ構造の一例を示す図である。
【００５５】
なお、誘導基準情報データベース２２は、誘導管理サーバ１が備える入力部（不図示）を使って、誘導管理サーバ１の利用者が、宿泊施設構内の避難経路に関する物理的情報を示す各種データを予め入力することで生成され、誘導管理記憶装置１１に登録されている。しかしながら、誘導基準情報データベース２２の登録方法はこれに限定されるものではない。例えば、誘導基準情報データベース２２として登録すべき宿泊施設構内の避難経路に関する物理的情報を外部サーバ等が保持している場合、該外部サーバから例えば、ＬＡＮ等のネットワークを経由して取得し、誘導基準情報データベース２２として誘導管理記憶装置１１に登録する構成であってもよい。
【００５６】
個別誘導情報データベース（挙動指示情報）２３は、上記利用者情報データベース２１と誘導基準情報データベース２２とから作成されるデータベースであり、客室ごとに、宿泊客の避難時の立ち振る舞い（挙動）を指示する情報である。本実施の形態に係る誘導管理サーバ１は、個別誘導情報データベース２３として、客室ごとに避難順路を指示する避難経路情報と、避難に関して宿泊客を誘導するための誘導メッセージ（誘導情報）とを対応づけて誘導管理記憶装置１１に記憶している。例えば、誘導メッセージの例としては、図６に示すように、客室を出て、右側に進み非常口から避難する、あるいは避難支援者が来るので支援者と一緒に避難するなど、避難時の初動動作を指示するメッセージなどが挙げられる。
【００５７】
また、この個別誘導情報データベース２３に記録される情報は、宿泊客がその情報を理解できる表現形式（言語または図形表示など）で記録されるようになっている。図６に示す例では、２０１号室の宿泊客には英語で誘導メッセージが提示され、２０２号および２０３号の宿泊客には日本語で、２０４号の宿泊客には絵文字による図形表現で提示される。図６は、個別誘導情報データベース２３として記録する情報の一例を示す図である。
【００５８】
なお、本実施の形態に係る誘導管理サーバ１では、上記誘導メッセージ（誘導情報）と避難経路情報とを、図６に示すような画像データ形式で、個別誘導情報データベース（挙動指示情報）２３として誘導管理記憶装置１１に記憶している。
【００５９】
上記通信制御部１２は、主制御部１３からの指示に応じて、利用者情報入力装置２、災害発生検知装置３、および表示装置４それぞれとの通信を確立するように制御するものである。
【００６０】
上記主制御部１３は、誘導管理サーバ１が備える各部の各種制御を行うものであり、例えば、ＣＰＵ等によって実現できる。
【００６１】
（誘導管理サーバのソフトウェア構成）
次に、図１を参照して、誘導管理サーバ１のソフトウェア構成について説明する。図１は、本発明の実施形態を示すものであり、誘導管理サーバ１が有する機能ブロックを示すブロック図である。
【００６２】
図１に示すように、誘導管理サーバ１は、機能ブロックとして、さらに利用者情報生成部３１，個別誘導情報生成部３２，および誘導情報配信部３３を備えてなる構成である。これら機能ブロックは、主制御部１３がＣＰＵによって実現できる場合、このＣＰＵが、不図示のＲＯＭに記録されたプログラムを不図示のＲＡＭに読出し実行することにより実現できる。
【００６３】
利用者情報生成部３１は、利用者情報入力装置２によって入力された各客室の宿泊客の情報を、通信制御部１２を介して受信し、利用者情報データベース２１として誘導管理記憶装置１１に記憶するものである。利用者情報生成部３１は、利用者情報データベース２１を生成し、誘導管理記憶装置１１に記憶させると、個別誘導情報生成部３２に、個別誘導情報データベース２３を生成するように指示する。
【００６４】
個別誘導情報生成部３２は、利用者情報生成部３１からの指示に応じて、利用者情報データベース２１と誘導基準情報データベース２２とを参照して、個別誘導情報データベース２３を作成し、誘導管理記憶装置１１に記憶するものである。なお、この個別誘導情報データベース２３の作成方法についての詳細は後述する。
【００６５】
誘導情報配信部３３は、災害発生検知装置３から災害発生に関する通知（検知情報）を受信すると、個別誘導情報データベース２３を読出し、各客室ごとに避難順路を指示する避難経路情報と、宿泊客を誘導する誘導メッセージとを選択する。そして、これらの情報を各客室に設置された表示装置４に出力する。
【００６６】
なお、本実施の形態に係る誘導指示システム１００では、誘導管理サーバ１と、各客室に設置されている表示装置４とは上述したようにＬＡＮによって接続されている。そこで、誘導情報配信部３３は、個別誘導情報データベース２３から、客室ごとに避難経路情報と誘導メッセージとを読み出し、通信制御部１２を制御して、表示装置４に送信する。
【００６７】
また、本実施の形態に係る誘導管理サーバ１では、上記誘導メッセージおよび避難経路情報を、画像データ形式で、個別誘導情報データベース２３として誘導管理記憶装置１１に記憶する構成であった。このため、これら個別誘導情報データベース２３の情報を各客室の表示装置４で表示させる場合、誘導情報配信部３３はこの画像データのまま各客室の表示装置４に送信すればよい。すなわち、誘導情報配信部３３は、送信する個別誘導情報データベース２３の情報を、表示装置４にて表示できる形式に変換する必要がない。このため、迅速に各客室の表示装置４において誘導メッセージおよび誘導経路情報を表示させることができる。
【００６８】
なお、誘導管理サーバ１から表示装置４に送信される画像データは、例えば、ＭＰＥＧ等によって圧縮され送信されており、表示装置４において、この画像データを復号して表示させる。
【００６９】
（個別誘導情報データベースの作成方法）
次に、図７を参照して、本実施の形態に係る誘導管理サーバ１における、個別誘導情報データベース２３の作成方法について説明する。図７は、本発明の実施形態を示すものであり、個別誘導情報データベース２３の作成方法の処理を示すフローチャートである。なお、個別誘導情報生成部３２は、個別誘導情報データベースの作成方法として示す以下のステップを各客室の宿泊客ごとに行うものとする。
【００７０】
まず、個別誘導情報生成部３２は、利用者情報データベース２１を参照して、宿泊客は災害時に避難支援が必要か否か判断する（Ｓ１１）。ここで、避難支援が必要であると判断した場合、個別誘導情報生成部３２は、誘導基準情報データベース２２を参照して、経路上に段差や階段等の障害物がなく、かつ上記宿泊客の客室から非常口までの経路が最短となる避難経路を探索する（Ｓ１２）。そして、個別誘導情報生成部３２は、災害発生時の避難の順路を決定する。
【００７１】
次に、個別誘導情報生成部３２は、利用者情報データベース２１を参照して、上記宿泊客とは別の客室に宿泊している他の宿泊客の中で、避難の支援を要請できる人がいるか確認する（Ｓ１３）。ここで、避難の支援を要請できる人とは、例えば、以下（１）〜（５）の条件を満たすか否かで判断し、決めることができる。
（１）避難支援が必要な宿泊客の近隣の客室の宿泊客。
（２）避難支援を要請する人を十分にサポートできる体力を有する人。
（３）行動をともにするグループに属していない。
（４）既に避難支援の要請を受けていない。
（５）避難支援要請者とコミュニケーションをとることができる。
【００７２】
例えば、利用者情報データベース２１の内容が図３の場合、避難支援が必要な宿泊客は２０５号室のＥさんであり、避難支援を要請できる人としては、その隣の２０４号室のＤさんを選択することができる。すなわちＤさんは、上記条件のうち少なくとも（１）から（４）を満たすものと考えられるため、十分にＥさんの避難をサポートできると想定される。
【００７３】
ステップＳ１３において、「ＹＥＳ」と判断した場合、個別誘導情報生成部３２は、避難を支援してくれる支援者が来るため、一緒に避難する旨を示す誘導メッセージを作成する（Ｓ１４）。一方、ステップＳ１３において「ＮＯ」と判断した場合、個別誘導情報生成部３２は、避難を促す旨の誘導メッセージを作成する（Ｓ１８）。
【００７４】
ここまでは、避難支援の必要がある宿泊客の場合について説明したが、避難支援の必要がない宿泊客の場合（ステップＳ１１において「ＮＯ］の場合）は、次のような処理フローとなる。
【００７５】
まず、個別誘導情報生成部３２は、避難支援を要請している他の宿泊客がいるか判断する（Ｓ１９）。すなわち、避難支援が必要な宿泊客から避難支援を要請する人として選択されているか判断する。
【００７６】
ここで、避難支援を要請している他の宿泊客がいると判断した場合（Ｓ１９において「ＹＥＳ」）、個別誘導情報生成部３２は、避難支援を要請している他の宿泊客の客室を経由して避難する避難経路を探索する（Ｓ２０）。そして、個別誘導情報生成部３２は、災害発生時の避難の順路を決定する。
【００７７】
次に、個別誘導情報生成部３２は、○○号室の他の宿泊客を支援しながら避難する旨を示す誘導メッセージを作成する（Ｓ２１）。
【００７８】
一方、ステップＳ１９において「ＮＯ」の場合、すなわち、避難支援を要請している他の宿泊客がいない場合、個別誘導情報生成部３２は、上記宿泊客の客室から非常口までの経路が最短となる避難経路を探索する（Ｓ２２）。そして、個別誘導情報生成部３２は、災害発生時の避難の順路を決定する。そして、次に、個別誘導情報生成部３２は避難を促す旨の誘導メッセージを作成する（Ｓ２３）。
【００７９】
以上のように、宿泊客を取り巻く、それぞれの条件ごとに誘導メッセージが作成されると、それぞれの場合において、その誘導メッセージの翻訳の要否を、利用者情報データベースを参照して、個別誘導情報生成部３２が判断する（Ｓ１５）。
【００８０】
ここで、翻訳が必要であると判断した場合（Ｓ１５において「ＹＥＳ」）、誘導管理サーバ１において翻訳可能な言語であるか否か判定する（Ｓ１６）。翻訳可能な言語である場合（Ｓ１６において「ＹＥＳ」）は、誘導メッセージを翻訳し、ステップＳ１２、ステップＳ２０、あるいはステップＳ２２にて探索した避難経路とともに個別誘導情報データベース２３として登録する（Ｓ１７）。
【００８１】
逆に、誘導メッセージの翻訳が不可能な場合（Ｓ１６において「ＮＯ」）、誘導メッセージを図形表現で表現し、ステップＳ１２、ステップＳ２０、あるいはステップＳ２２にて探索した避難経路とともに個別誘導情報データベース２３として登録する（Ｓ２４）。
【００８２】
すなわち、本実施の形態に係る誘導管理サーバ１が保持する利用者情報データベース２１には、各宿泊客が理解できる言語（表示言語）に関する情報が含まれている。したがって、個別誘導情報生成部３２は、この表示言語の情報から誘導メッセージの翻訳の要否、ならびに翻訳すべき言語を把握することができる。
【００８３】
当然、すべての言語に翻訳することが不可能であるため、翻訳できない言語を使用する宿泊客の場合は、絵文字として、誘導メッセージを図６に示す２０４号室のように図形表現に変換する。
【００８４】
なお、誘導メッセージの翻訳が不要な場合（ステップＳ１５において「ＮＯ」）は、誘導メッセージをステップＳ１２、ステップＳ２０、あるいはステップＳ２２にて探索した避難経路とともに個別誘導情報データベース２３として登録する（Ｓ２５）。
【００８５】
このようにして、本実施の形態に係る誘導管理サーバ１では、個別誘導情報生成部３２が、客室ごとの誘導メッセージと、避難経路とを決定し登録しておくことができる。
【００８６】
以上のように、本実施の形態に係る誘導管理サーバ１は、個別誘導情報生成部３２を備えているため、宿泊客と、その宿泊客とは異なる客室を利用している他の宿泊客との、避難時における連携関係を決定し、決定された上記連携関係に基づき、各宿泊客の避難時の挙動を指示する情報を含む個別誘導情報データベース２３を作成することができる。
【００８７】
このため、各人がそれぞればらばらに避難するのではなく、避難時に支援を要請している他の宿泊客を支援しつつ、この他の宿泊客と一緒に避難するなど、宿泊施設構内のそれぞれの客室に宿泊する宿泊客同士を連携させて避難時の行動を指示することができる。
【００８８】
また、上記誘導管理サーバ１は、各利用者に関する情報を、利用者情報入力装置２を介して受付け、上記利用者情報データベース２１を生成する利用者情報生成部３１を備える構成である。このため、誘導管理記憶装置１１に記憶させる利用者情報データベース２１を各客室に宿泊する宿泊客の変更を反映した最新の情報とすることができる。
【００８９】
また、上記誘導管理サーバ１は、通信制御部１２および誘導情報配信部３３を備えるため、災害発生検知装置３により災害の発生が検知されると、客室ごとに避難順路を指示する避難経路情報と、宿泊客を誘導する誘導メッセージとを、各客室に設置された表示装置４に出力することができる。このため、災害発生時に直ちに、各客室の宿泊客は、発生した災害に対してどのような挙動をとればよいか表示装置４の表示を通じて把握することができる。
【００９０】
また、個別誘導情報データベース２３に含まれる誘導メッセージおよび避難経路情報の表現形式は、宿泊客が理解できる表現形式であることが必要である。そこで、個別誘導情報データベース２３は、上述したように、誘導メッセージおよび避難経路情報を図形で表現した画像データを含んでいてもよいし、上記宿泊客が使用できる言語で記載したテキストデータを含んでいてもよい。
【００９１】
個別誘導情報データベース２３が、誘導メッセージおよび避難経路情報を図形で表現した画像データを含んでいる場合、図形といった視覚的に理解できる形式で宿泊客に提供することができる。
【００９２】
また、個別誘導情報データベース２３が、誘導メッセージおよび避難経路情報を上記宿泊客が使用できる言語で記載したテキストデータを含む場合、各宿泊客が読むことができる言語形態で提供することができる。
【００９３】
以上のように、本実施の形態に係る誘導管理サーバ１と各客室の表示装置４とは、ＬＡＮを通じて接続され、このＬＡＮを経由して誘導メッセージおよび誘導経路情報を配信する構成であったがこれに限定されるものではない。例えば、館内に配備されたアンテナ線を経由して、誘導メッセージおよび誘導経路情報を配信する構成であってもよい。アンテナ線を経由して、誘導メッセージおよび誘導経路情報を配信する構成の場合、誘導管理サーバ１は、各客室の誘導メッセージおよび誘導経路情報を独立したテレビ放送信号として同時に配信する。一方、表示装置４は、災害発生時に各客室に割り当てられたチャンネルを選択してこの誘導メッセージおよび誘導経路情報を受信する。そして、表示装置４は、受信した誘導メッセージおよび誘導経路情報を表示する。
【００９４】
また、そのほか誘導管理サーバ１と各客室の表示装置４との接続は、ＵＷＢ通信（４．２から４．８ＧＨｚ帯の周波数）、Ｂｌｕｅｔｏｏｔｈ（登録商標）（２．４ＧＨｚ帯の周波数）、またはワイヤレスＨＤＭＩなどの無線通信方式を利用して確立されるものであってもよい。
【００９５】
あるいは、ＩＥＥＥ１３９４（ｉ−Ｌｉｎｋ）、ＨＤＭＩケーブル、あるいはＰＬＣ（Power Line Communication；電力線搬送通信）など、有線を介して接続が確立されるものであってもよい。
【００９６】
また、本実施の形態に係る誘導管理サーバ１では、上記誘導メッセージおよび避難経路情報を、画像データ形式で、個別誘導情報データベース２３として誘導管理記憶装置１１に記憶する構成であった。しかしながら個別誘導情報データベース２３として誘導管理記憶装置１１に記憶するデータ形式はこれに限定されるものではない。
【００９７】
例えば上記誘導メッセージおよび避難経路情報を文字によって示すことができる場合、これらの情報を画像データではなくテキストデータのデータ形式で個別誘導情報データベース２３として誘導管理記憶装置１１に記憶してもよい。
【００９８】
あるいは、個別誘導情報データベース２３として、誘導メッセージおよび避難経路情報を、テキストデータと画像データとの２つのデータ形式で記憶する構成であってもよい。この構成の場合、誘導メッセージおよび避難経路情報を各客室に送信する際に、誘導情報配信部３３によってこれらテキストデータ部分と画像データ部分とを合成して、表示装置４に送信する。
【００９９】
また、本実施の形態に係る誘導管理サーバ１では、上記したように、表示装置４において表示可能な情報として個別誘導情報データベース２３を記憶する構成であったがこれに限定されるものではない。例えば、個別誘導情報データベース２３は、誘導メッセージおよび避難経路情報を示す音声データを含むものであってもよい。
【０１００】
このように個別誘導情報データベース２３が音声データを含む場合、個別誘導情報生成部３２は、誘導メッセージおよび避難経路情報を音声データに変換するテキスト−音声変換部を備え、誘導メッセージおよび避難経路情報の内容を示す音声データを生成し、個別誘導情報データベース２３として記憶しておく。そして、誘導情報配信部３３が、表示装置４に、誘導メッセージおよび避難経路情報の音声データとを送信する。一方、表示装置４は、自身が備えるスピーカから、受信した音声データを出力する。
【０１０１】
このように、上記誘導メッセージおよび避難経路情報を音声データにより作成することができる構成の場合、宿泊客が、表示装置４における表示を見ることができない場合であっても誘導メッセージおよび避難経路情報を把握することができる。すなわち、表示装置４の表示画面が見えない位置に宿泊客がいる場合、宿泊客が視覚障害を有しており表示装置４の表示を見ることができない場合等であっても、誘導メッセージおよび避難経路情報を通知することができる。
【０１０２】
また、誘導メッセージおよび避難経路情報を、映像データと音声データとの両方によって表示装置４に送信し、該表示装置４から出力させる構成の場合、映像と音声との相乗効果によって誘導メッセージおよび避難経路情報に対する、宿泊客の認知度および理解度をさらに高めることができる。
【０１０３】
本実施の形態に係る誘導管理サーバ１では、予め、個別誘導情報データベース２３を作成し、誘導管理記憶装置１１に記憶しておく構成であった。そして、災害発生時に、この記憶している個別誘導情報データベース２３を読み出す構成であった。しかしながら、個別誘導情報データベース２３の作成タイミングはこれに限定されるものではない。
【０１０４】
例えば、災害発生検知装置３から発生した災害の種類と、災害の発生場所を示す災害発生に関する通知（災害情報）を受信すると、個別誘導情報生成部３２が個別誘導情報データベース２３を作成する構成であってもよい。なお、上記災害の種類とは、火災、水害、落雷等の自然現象による被害や、建造物の破損、機器の故障等人為的原因による被害等を分類した情報である。この災害の種類や発生場所は、災害発生検知装置３が備える各種センサ等の検知結果や、各種センサの設置位置等から判断される。例えば、災害発生検知装置３が火災報知器を備えており、この火災報知器が煙または異常な温度上昇を検知した場合、災害発生検知装置３は、この火災報知器が設置されている近傍において火災が発生したと判断することができる。
【０１０５】
このように、災害発生検知装置３からの災害の発生に関する通知（災害情報）に応じて、個別誘導情報データベース２３を作成する構成の場合、誘導管理サーバ１は、災害の発生状況を加味して避難経路情報および誘導メッセージを作成することができる。このため、より適切な誘導を宿泊施設２００の宿泊客に対して行うことができる点で有利である。
【０１０６】
なお、このように災害の発生に関する通知（災害情報）に応じて、個別誘導情報データベース２３を作成する構成の場合、誘導管理サーバ１の構成は以下のようになる。すなわち、災害発生検知装置３から入力される災害の発生に関する通知（災害情報）を、通信制御部１２が受信し、個別誘導情報生成部３２に送信する。そして、個別誘導情報生成部３２は、利用者情報データベース２１と誘導基準情報データベース２２とに加え、この災害の発生に関する通知を参照して個別誘導情報データベース２３を作成する。
【０１０７】
また、災害の発生に関する通知（災害情報）に応じて、個別誘導情報データベース２３を作成する構成の場合、利用者情報として、災害発生時に宿泊客が不在か否か、宿泊客が就寝中か否か等の客室利用に関する情報も含めることが好ましい。
【０１０８】
なお、災害発生時に客室内に宿泊客が不在か否かについては、例えば、客室のドアに、宿泊客の出入りを検知する検知部（不図示）を設け、誘導管理サーバ１を以下の構成とすることにより実現できる。
【０１０９】
すなわち、災害発生時に、利用者情報入力装置２が、上記検知部から取得した検知結果に基づき宿泊客が不在か否か判断する。この判断結果を、利用者情報入力装置２が、通信制御部１２を介して利用者情報生成部３１に送信する。利用者情報生成部３１は、この宿泊客が不在か否かについての情報も含めて、利用者情報データベース２１を作成する。そして、個別誘導情報生成部３２は、この利用者情報データベース２１を参照して、災害発生時に宿泊客が不在か否かに関する情報も含めて個別誘導情報データベース２３を作成する。
【０１１０】
また、宿泊客が就寝中か否かについては、例えば、ベッドの近傍に宿泊客の存在の有無を検知する不図示の人体検知センサ（赤外線センサ）を設け、誘導管理サーバ１を以下の構成とすることにより実現できる。
【０１１１】
すなわち、災害発生時に、利用者情報入力装置２が、上記人体検知センサから取得した検知結果に基づき、宿泊客が就寝中か否か判断する。この判断結果を、利用者情報入力装置２が、通信制御部１２を介して利用者情報生成部３１に送信する。利用者情報生成部３１は、この宿泊客が就寝中であるか否かについての情報も含めて、利用者データベース２１を作成する。そして、個別誘導情報生成部３２は、この利用者情報データベース２１を参照して、災害発生時に宿泊客が就寝中であるか否かに関する情報も含めて個別誘導情報データベース２３を作成する。なお、各部屋に配置されている表示装置４は、周囲の明るさを検知する明るさ検知センサ（不図示）を備えており、この明るさ検知センサの検知結果を上記人体検知センサの検知結果の代わりに利用者情報入力装置２が取得し、周囲が暗い場合は就寝中として判断する構成としてもよい。あるいは、この明るさ検知センサの検知結果と上記人体検知センサの検知結果とから、周囲が暗く、かつベッドに宿泊客が存在する場合に、宿泊客は就寝中であると判断する構成としてもよい。
【０１１２】
このように、利用者情報に客室の利用に関する情報を含めることで、誘導情報配信部３３が個別誘導情報データベース２３を作成するに当たり、客室にいない宿泊客に、避難の支援を要請する誘導メッセージを送信するなどのミスマッチが生じることを防ぐことができる。
【０１１３】
また、支援が必要な宿泊客ではないが、就寝中の宿泊客も避難の支援が必要な宿泊客とみなし、起床中の宿泊客を支援に向かわせることもできる。このため、就寝中で非常ベル等の災害報知に気づいていない宿泊客に対しても起床中の宿泊客から避難を促させることができるため、避難誘導の安全性を向上させることができる。
【０１１４】
なお、予め個別誘導情報データベース２３を作成し誘導管理記憶装置１１に記憶させておく構成において、災害発生検知装置３からの災害の発生に関する通知（災害情報）に応じて、災害発生時に宿泊客が不在か否か、宿泊客が就寝中か否か等の客室利用に関する情報を取得し、災害発生に関する通知および客室利用に関する情報を考慮して、個別誘導情報データベース２３を変更する構成としてもよい。
【０１１５】
このように、予め個別誘導情報データベース２３を作成した上で、災害発生時に、災害の発生に関する情報および客室利用に関する情報を加味して個別誘導情報データベース２３を変更する構成の場合、災害発生時の客室利用状況を考慮した誘導メッセージおよび避難経路情報を提供できる点で好ましい。また、災害発生時に、個別誘導情報データベース２３を作成する構成と比較して、個別誘導情報データベース２３の作成にかかる時間を短縮することができる。
【０１１６】
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【０１１７】
最後に、誘導管理サーバ１の各ブロック、特に利用者情報生成部３１，個別誘導情報生成部３２，および誘導情報配信部３３は、ハードウェアロジックによって構成してもよいし、次のようにＣＰＵを用いてソフトウェアによって実現してもよい。
【０１１８】
すなわち、誘導管理サーバ１は、各機能を実現する制御プログラムの命令を実行するＣＰＵ（central processing unit）、上記プログラムを格納したＲＯＭ（read only memory）、上記プログラムを展開するＲＡＭ（random access memory）、上記プログラムおよび各種データを格納するメモリ等の記憶装置（記録媒体）などを備えている。そして、本発明の目的は、上述した機能を実現するソフトウェアである誘導管理サーバ１の制御プログラムのプログラムコード（実行形式プログラム、中間コードプログラム、ソースプログラム）をコンピュータで読み取り可能に記録した記録媒体を、上記誘導管理サーバ１に供給し、そのコンピュータ（またはＣＰＵやＭＰＵ）が記録媒体に記録されているプログラムコードを読み出し実行することによっても、達成可能である。
【０１１９】
また、誘導管理サーバ１を通信ネットワークと接続可能に構成し、上記プログラムコードを、通信ネットワークを介して供給してもよい。
【０１２０】
なお、本発明は、上記プログラムコードが電子的な伝送で具現化された、搬送波に埋め込まれたコンピュータデータ信号の形態でも実現され得る。
【産業上の利用可能性】
【０１２１】
本発明に係る情報提供装置は、施設構内の複数の客室それぞれに設置された画像再生装置にて再生するための情報を提供する情報提供装置であって、客室の利用者と、該利用者とは異なる客室を利用している他の利用者との、避難時における連携関係を決定し、決定された上記連携関係に基づき、各利用者の避難時の挙動を指示する情報である挙動指示情報を作成することができる。このため、上述した宿泊施設のみならず、学校、マンション、病院、老人ホーム等における災害時の避難にも適用できる。
【図面の簡単な説明】
【０１２２】
【図１】本発明の実施形態を示すものであり、誘導管理サーバが有する機能ブロックを示すブロック図である。
【図２】本発明の実施形態を示すものであり、誘導指示システムの要部構成を示すブロック図である。
【図３】本発明の実施形態を示すものであり、利用者情報データベースの一例を示す図である。
【図４】本実施の形態に係る宿泊施設の２階部分における施設概要と、段差、消火器の配置位置の一例を示す平面図である。
【図５】本実施の形態に係る誘導基準情報データベースとして記録されるデータ構造の一例を示す図である。
【図６】個別誘導情報データベースとして記録する情報の一例を示す図である。
【図７】本発明の実施形態を示すものであり、個別誘導情報データベースの作成方法の処理を示すフローチャートである。
【符号の説明】
【０１２３】
１    誘導管理サーバ（情報提供装置）
２    利用者情報入力装置
３    災害発生検知装置（災害検知装置）
４    表示装置（画像再生装置）
１１  誘導管理記憶装置（記憶装置）
１２  通信制御部（受信部）
１３  主制御部
２１  利用者情報データベース（利用者情報）
２２  誘導基準情報データベース（避難情報）
２３  個別誘導情報データベース（挙動指示情報）
３１  利用者情報生成部（作成手段）
３２  個別誘導情報生成部（挙動指示情報作成手段）
３３  誘導情報配信部（送信手段）
１００  誘導指示システム
２００  宿泊施設（施設）
【図１】
2010002996.tif 000003
【図２】
2010002996.tif 000004
【図３】
2010002996.tif 000005
【図４】
2010002996.tif 000006
【図５】
2010002996.tif 000007
【図６】
2010002996.tif 000008
【図７】
2010002996.tif 000009